(57)【要約】【課題】アタッチメントの接続部の外面と延長管の内面との隙間に塵埃が詰まり難い電気掃除機用アタッチメントを提供することを課題とする。【解決手段】一端には、塵埃を吸い込む吸込口９を有し、他端には、他端側から一端側に向かって小径部１０と大径部１１の接続部が形成され、前記小径部１０の接続部もしくは前記大径部１１の接続部のいずれか一方を電動送風機が内蔵された電気掃除機本体１と連通する延長管５に着脱自在に接続可能とした電気掃除機用アタッチメント８であって、前記大径部１１の接続部を前記延長管５に接続された状態で、前記大径部１１の接続部に前記延長管５と連通する溝１４を形成した。【選択図】        図６
2005204763.tif 000002
【特許請求の範囲】
【請求項１】
一端には、塵埃を吸い込む吸込口を有し、他端には、他端側から一端側に向かって径が大きくなる複数の接続部が形成され、前記接続部のいずれかを電動送風機が内蔵された電気掃除機本体と連通する延長管に着脱自在に接続可能とした電気掃除機用アタッチメントであって、該アタッチメントが前記延長管に接続された状態で、前記接続部に前記延長管と連通する溝を形成したことを特徴とする電気掃除機用アタッチメント。
【請求項２】
前記溝は、下流側に向かって幅が広くなるように形成されていることを特徴とする請求項１記載の電気掃除機用アタッチメント。
【請求項３】
前記溝の出口付近に、前記延長管に接続されている前記接続部の径よりも小さい環状の壁を形成したことを特徴とする請求項１記載の電気掃除機用アタッチメント。
【請求項４】
前記溝の出口付近に壁を形成したことを特徴とする請求項１記載の電気掃除機用アタッチメント。
【請求項５】
前記溝は、被清掃面側から外れた位置に形成されたことを特徴とする請求項１乃至４記載の電気掃除機用アタッチメント。
【請求項６】
前記接続部を大径部と小径部とで形成し、前記アタッチメントを前記延長管に接続された状態で、前記小径部を前記大径部に対し、被清掃面側へ偏芯させたことを特徴とする請求項１記載の電気掃除機用アタッチメント。
【請求項７】
前記溝は、螺旋状に形成されたことを特徴とする請求項１記載の電気掃除機用アタッチメント。
【請求項８】
一端には、塵埃を吸い込む吸込口を有し、他端には、他端側から一端側に向かって径が大きくなる複数の接続部が形成され、前記接続部のいずれかを電動送風機が内蔵された電気掃除機本体と連通する延長管に着脱自在に接続可能とした電気掃除機用アタッチメントであって、前記延長管に接続されている前記接続部の径よりも小さい径の接続部に貫通孔を形成し、該貫通孔を介して前記吸込口と前記延長管とを連通させたことを特徴とする電気掃除機用アタッチメント。
【請求項９】
前記貫通孔の近傍に前記アタッチメントの内面から突出する鍔を形成
したことを特徴とする請求項８記載の電気掃除機用アタッチメント。
【請求項１０】
一端には、塵埃を吸い込む吸込口を有し、他端には、他端側から一端側に向かって小径部と大径部の接続部が形成され、前記小径部もしくは前記大径部のいずれか一方を電動送風機が内蔵された電気掃除機本体と連通する延長管に着脱自在に接続可能とした電気掃除機用アタッチメントであって、前記大径部の形状を多角形としたことを特徴とする電気掃除機用アタッチメント。
【請求項１１】
一端には、塵埃を吸い込む吸込口を有し、他端には、他端側から一端側に向かって小径部と大径部の接続部が形成され、前記小径部もしくは前記大径部のいずれか一方を電動送風機が内蔵された電気掃除機本体と連通する延長管に着脱自在に接続可能とした電気掃除機用アタッチメントであって、前記大径部の形状を楕円としたことを特徴とする電気掃除機用アタッチメント。
【請求項１２】
一端には、塵埃を吸い込む吸込口を有し、他端には、小径部と、該小径部の外周面に突出した複数のリブが形成され、前記小径部もしくは前記リブのいずれか一方を電動送風機が内蔵された電気掃除機本体と連通する延長管に着脱自在に接続可能としたことを特徴とする電気掃除機用アタッチメント。
【請求項１３】
一端には、塵埃を吸い込む吸込口を有し、他端には、小径部と、該小径部の外周面に突出した複数の突部が形成され、前記小径部もしくは前記突部のいずれか一方を電動送風機が内蔵された電気掃除機本体と連通する延長管に着脱自在に接続可能としたことを特徴とする電気掃除機用アタッチメント。
【請求項１４】
吸気口を有する電気掃除機本体と、該本体の吸気口に一端を接続するホースと、該ホースの他端に着脱自在に接続される延長管とを備えた電気掃除機であって、前記延長管に前記請求項１乃至１３記載の電気掃除機用アタッチメントを連通するように接続したことを特徴とする電気掃除機。
【発明の詳細な説明】
【技術分野】
【０００１】
本発明は、電動送風機などによる吸引力により塵埃を吸い込む電気掃除機本体に接続される電気掃除機用アタッチメントに関する。
【背景技術】
【０００２】
従来、一般的な床面、例えば、絨毯、畳、フローリング等の掃除は、電気掃除機本体に接続された延長管に、床用アタッチメントを接続して使用されている。そして、家具の隙間や窓の桟、壁際等を掃除する際には、床用アタッチメントから隙間用アタッチメントに交換し、被清掃面に応じた掃除をすることができるようになされている。
【特許文献１】特開２００３−９８３２８３号公報
【発明の開示】
【発明が解決しようとする課題】
【０００３】
ところで、最近の電気掃除機においては、吸込力の競争が激化しており、この吸込力を上げるために電動送風機をハイパワー化したり、あるいは延長管の内径を大きくして風路抵抗を小さくする構成が試みられている。
風路抵抗を小さくするために延長管の内径を大きくした場合、延長管に接続されるアッタチッメントの接続部の外径も延長管の内径に応じて大きくする必要があるが、内径の異なる延長管が複数あると、アタッチメントの形式も延長管の形式の数だけ必要となってくるので、多量の在庫を抱えてしまうという問題が発生する。
そこで、アタッチメントの共通化を図るために、例えば、図２０に示すアタッチメント１００のように、延長管１０１に接続される接続部に径の小さい小径部１０２の接続部と径の大きい大径部１０３の接続部を設けることで、延長管１０１の径が異なっても一つのアタッチメントで接続可能な構成が考えられる。
しかしながら、上述した構成では、大径部１０３の接続部を延長管１０１に接合した状態では、小径部１０２の接続部の外面と延長管１０１の内面との間に隙間Ｓ１が生じるので、アタッチメント１００から吸い込まれた塵埃がこの隙間Ｓ１に詰まり、アタッチメント１００を延長管１０１から外した際に、詰まった塵埃が床面等にこぼれてしまう欠点があった。
【０００４】
本発明は、上記課題を解決するためになされたものであり、アタッチメントの接続部の外面と延長管の内面との隙間に塵埃が詰まり難い電気掃除機用アタッチメントを提供することを課題とする。
【課題を解決するための手段】
【０００５】
上記課題を解決するための第１の手段は、塵埃を吸い込む吸込口を有し、他端には、他端側から一端側に向かって径が大きくなる複数の接続部が形成され、前記接続部のいずれかを電動送風機が内蔵された電気掃除機本体と連通する延長管に着脱自在に接続可能とした電気掃除機用アタッチメントであって、該アタッチメントが前記延長管に接続された状態で、前記接続部に前記延長管と連通する溝を形成したことを特徴とする。
【０００６】
また、前記溝は、下流側に向かって幅が広くなるように形成されてもよい。
【０００７】
また、前記溝の出口付近に、前記延長管に接続されている前記接続部の径よりも小さい環状の壁を形成してもよい。
【０００８】
また、前記溝の出口付近に壁を形成してもよい。
また、前記溝は、被清掃面側から外れた位置に形成されてもよい。
また、前記接続部を大径部と小径部とで形成し、前記アタッチメントを前記延長管に接続された状態で、前記小径部を前記大径部に対し、被清掃面側へ偏芯させてもよい。
また、前記溝は、螺旋状に形成されてもよい。
【０００９】
上記課題を解決するための第２の手段は、一端には、塵埃を吸い込む吸込口を有し、他端には、他端側から一端側に向かって径が大きくなる複数の接続部が形成され、前記接続部のいずれかを電動送風機が内蔵された電気掃除機本体と連通する延長管に着脱自在に接続可能とした電気掃除機用アタッチメントであって、前記延長管に接続されている前記接続部の径よりも小さい径の接続部に貫通孔を形成し、該貫通孔を介して前記吸込口と前記延長管とを連通させたことを特徴とする。
【００１０】
また、前記貫通孔の近傍に前記アタッチメントの内面から突出する鍔を形成してもよい。
【００１１】
上記課題を解決するための第３の手段は、一端には、塵埃を吸い込む吸込口を有し、他端には、他端側から一端側に向かって小径部と大径部の接続部が形成され、前記小径部もしくは前記大径部のいずれか一方を電動送風機が内蔵された電気掃除機本体と連通する延長管に着脱自在に接続可能とした電気掃除機用アタッチメントであって、前記大径部の形状を多角形としたことを特徴とする。
【００１２】
上記課題を解決するための第４の手段は、一端には、塵埃を吸い込む吸込口を有し、他端には、他端側から一端側に向かって小径部と大径部の接続部が形成され、前記小径部もしくは前記大径部のいずれか一方を電動送風機が内蔵された電気掃除機本体と連通する延長管に着脱自在に接続可能とした電気掃除機用アタッチメントであって、前記大径部の形状を楕円としたことを特徴とする。
【００１３】
上記課題を解決するための第５の手段は、一端には、塵埃を吸い込む吸込口を有し、他端には、小径部と、該小径部の外周面に突出した複数のリブが形成され、前記小径部もしくは前記リブのいずれか一方を電動送風機が内蔵された電気掃除機本体と連通する延長管に着脱自在に接続可能としたことを特徴とする。
【００１４】
上記課題を解決するための第６の手段は、一端には、塵埃を吸い込む吸込口を有し、他端には、小径部と、該小径部の外周面に突出した複数の突部が形成され、前記小径部もしくは前記突部のいずれか一方を電動送風機が内蔵された電気掃除機本体と連通する延長管に着脱自在に接続可能としたことを特徴とする。
【００１５】
また、吸気口を有する電気掃除機本体と、該本体の吸気口に一端を接続するホースと、該ホースの他端に着脱自在に接続される延長管とを備えた電気掃除機であって、前記延長管に第１の手段乃至第７の手段の電気掃除機用アタッチメントを連通するように接続してもよい。
【発明の効果】
【００１６】
本発明の請求項１によれば、径が大きい接続部を延長管に接続した状態で、前記電動送風機を運転すると、空気は前記アタッチメントの吸込口以外に、前記接続部に形成された前記溝からも吸い込まれるので、前記溝から吸い込まれた空気が、径が小さい接続部の外面と前記延長管との内面との隙間に流れ込み、この隙間に塵埃が詰まることを防止できる等の効果を奏する。
【００１７】
本発明の請求項２によれば、前記溝から吹き出る空気を拡散できるので、隙間の広範囲に空気を流し込みことにより、隙間に塵埃が詰まることを確実に防止できる等の効果を奏する。
本発明の請求項３によれば、前記溝から吹き出る空気が環状の壁に衝突することで、空気を隙間全周に拡散させることができ、隙間に塵埃が詰まることを確実に防止できる等の効果を奏する。
【００１８】
本発明の請求項４によれば、前記溝から吹き出る空気が壁に衝突することで、空気を隙間の広範囲に流し込むことができ、隙間に塵埃が詰まることを確実に防止できる等の効果を奏する。
本発明の請求項５によれば、前記アタッチメントの前記吸込口を被清掃面に対向して掃除をする際、前記溝は、被清掃面側から外れた位置に形成されているので、前記溝から塵埃が吸い込まれることがなくなり、前記溝の詰まりを防止できる等の効果を奏する。
【００１９】
本発明の請求項６によれば、前記アタッチメントを前記延長管に接続し、前記アタッチメントの前記吸込口を被清掃面に対向させた状態では、小径部の外面と前記延長管との内面との隙間は、被清掃面側とは反対側、即ち、上側に形成されるので、隙間に塵埃を入り込ませないようにすることができる等の効果を奏する。
本発明の請求項７によれば、前記溝から出る空気は、隙間を旋回しながら流れるので、隙間に塵埃が詰まることを確実に防止できる等の効果を奏する。
【００２０】
本発明の請求項８によれば、径が大きい接続部を延長管に接続した状態で、前記電動送風機を運転すると、前記アタッチメントの吸込口から吸い込まれた空気は、前記貫通孔を通って径が小さい接続部の外面と前記延長管との内面との隙間に流れ込むので、この隙間に塵埃が詰まることを防止できる等の効果を奏する。
本発明の請求項９によれば、前記鍔がエアーダムの役割をするため、前記貫通孔に流し込まれる空気量が増加し、隙間に塵埃が詰まることを確実に防止できる等の効果を奏する。
【００２１】
本発明の請求項１０によれば、前記大径部を前記延長管に接続すると、前記大径部が多角形であるため、接続された部分に隙間が生じる。この状態で、前記電動送風機を運転すると、空気は前記アタッチメントの吸込口以外に、前記アタッチメントの接続部と前記延長管との接続部分に生じた隙間からも吸い込まれるので、この隙間から吸い込まれた空気が、前記小径部の外面と前記延長管との内面との隙間に流れ込み、この隙間に塵埃が詰まることを防止できる等の効果を奏する。
【００２２】
本発明の請求項１１によれば、前記大径部を前記延長管に接続すると、前記大径部が楕円であるため、接続された部分に隙間が生じる。この状態で、前記電動送風機を運転すると、空気は前記アタッチメントの吸込口以外に、前記アタッチメントの接続部と前記延長管との接続部分に生じた隙間からも吸い込まれるので、この隙間から吸い込まれた空気が、前記小径部の外面と前記延長管との内面との隙間に流れ込み、この隙間に塵埃が詰まることを防止できる等の効果を奏する。
【００２３】
本発明の請求項１２によれば、前記リブを前記延長管に接続すると、この接続された部分に隙間が生じるので、前記電動送風機を運転すると、空気は前記アタッチメントの吸込口以外に、前記リブと前記延長管との接続部分に生じた隙間からも吸い込まれるので、この隙間から吸い込まれた空気が、前記小径部の外面と前記延長管との内面との隙間に流れ込み、この隙間に塵埃が詰まることを防止できる等の効果を奏する。
【００２４】
本発明の請求項１３によれば、前記突部を前記延長管に接続すると、この接続された部分に隙間が生じるので、前記電動送風機を運転すると、空気は前記アタッチメントの吸込口以外に、前記突部と前記延長管との接続部分に生じた隙間からも吸い込まれるので、この隙間から吸い込まれた空気が、前記小径部の外面と前記延長管との内面との隙間に流れ込み、この隙間に塵埃が詰まることを防止できる等の効果を奏する。
【００２５】
本発明の請求項１４によれば、前記アタッチメントの接続部の外面と前記延長管の内面とに生じる隙間に、塵埃の詰まりを防止できる電気掃除機を提供することができる等の効果を奏する。
【発明を実施するための最良の形態】
【００２６】
（第１実施形態）
本発明の第１実施形態を図１乃至図７に基づいて説明する。
【００２７】
１は、吸気口２を有する掃除機本体で、該掃除機本体１の吸気口２に可撓性を有するホース３の一端を接続するとともに、前記ホース３の他端に配設される後述する接続管４に円筒状の延長管５を着脱自在に接続し、該延長管５端部に床用吸込具６が着脱自在に接続できるようになっている。
【００２８】
４は、前記ホース３の他端部に配設された円筒状の接続管で、前記掃除機本体１の電動送風機を制御するスイッチ（いずれも図示しない）を有するとともに、該接続管４の上面側にグリップ部７を一体的に形成している。
【００２９】
８は、家具の隙間や壁際等を掃除するための隙間用アタッチメントで、一端には、塵埃を吸い込むために設けられた縦長状の吸込口９が形成され、他端には、他端側から一端側に向かって円筒状の小径部１０及び大径部１１の接続部が形成されている。前記大径部１１の接続部の外径は、前記延長管５の内径と略同一寸法に形成され、前記大径部１１の接続部を前記延長管５に挿入することにより、前記隙間用アッタチメント８を前記延長管５に着脱自在に装着できるようになっている。本発明に記載された掃除機は、吸込力を上げるために前記延長管５の内径を従来に比べて大きくし、風路抵抗を小さくした構成となっているが、前記アタッチメント８は、従来の延長管（本実施例の延長管の内径よりも小さい）にも接続できるように、前記小径部１０の接続部が設けられている。この構成とすることで、アタッチメントの共通化を図ることができ、管理面等のコストを抑えることができるようになっている。
【００３０】
１２は、前記大径部１１の外周面に形成された複数の環状凹部で、前記アタッチメント８の重量及び材料コストの軽減を図ることを目的に設けられている。
【００３１】
１３は、前記アタッチメント８の底部に形成された漏らし孔で、該漏らし孔１３から空気を取り込むことにより、前記吸込口９の開口面積が小さいために電動送風機に負荷がかかるのを防止できるようになっている。
【００３２】
１４は、前記大径部１１の接続部の外周面に形成された２つの溝で、各々の溝１４は、図３に示すように径方向に対して相対する位置（１８０度反対方向）に形成されるとともに、前記吸込口９を長手方向から挟み込むように形成されている。前記大径部１１の接続部を前記延長管５に接続させた状態で電動送風機を運転させると、空気は前記吸込口９と前記溝の２つの経路から吸い込まれる。そして、図６に示すように前記溝１４から吸い込まれた空気は、前記小径部１０の接続部の外面と前記延長管５の内面との隙間Ｓ１に流れ込んだ後、前記吸込口９から吸い込まれた空気と合流し、前記吸気口２へと吸い込まれるようになっている。また、図８に示すように前記吸込口９を被清掃面Ｍに対向させて掃除する際、前記溝１４は、被清掃面Ｍ側に位置していないので、塵埃が前記溝１４から吸い込まれることがなく、前記溝１４が塵埃によって詰まることを防止できる構成となっている。
【００３３】
上記構成において、一般的な床面掃除の際は、前記ホース３端部に前記接続管４、前記延長管５、前記床用吸込具６を接続して使用する。
そして、家具の隙間や窓の桟、壁際等を掃除する際には、前記床用吸込具６を取り外し、前記アタッチメント８の大径部１１の接続部を前記延長管５に挿入して接続させる。電動送風機を運転させると、塵埃は前記吸込口９から吸い込まれるが、塵埃が前記アタッチメント８の他端の開口部分から吹き出される際、前記溝１４から吸い込まれた空気が前記小径部１０の接続部の外面と前記延長管５の内面との前記隙間Ｓ１を流れるので、塵埃が前記隙間Ｓ１に入り込もうとしても空気によって押し戻されるため、前記隙間Ｓ１に塵埃が詰まることを防止できる。
従って、家具の隙間や窓の桟、壁際等の掃除が終了した後、前記アタッチメント８を取り外しても、前記隙間Ｓ１に塵埃が詰まっていないので、塵埃が床面等にこぼれてしまうことがなくなる。
【００３４】
次に、前記隙間Ｓ１への塵埃詰まりをより確実に防止するための構成を、図９乃至図１３に基づいて説明する。尚、上記実施形態と同一部分については同一符号を付して説明を省略する。
【００３５】
図９に示したアタッチメント１５の溝１６は、下流側に向かって溝の幅が広くなるようラッパ状に形成されている。この形状により、前記溝１５から吹き出る空気を拡散できるので、前記隙間Ｓ１の広範囲に空気を流し込みことで、前記隙間Ｓ１に塵埃が詰まることを確実に防止できる。
図１０に示したアッタチメント１７は、前記溝１４の出口付近に、前記大径部１１の接続部の外径よりも小さい環状の壁１８が形成されている。この環状の壁１８を形成することにより、前記溝１４から吹き出る空気が前記環状の壁１８に衝突することで、空気を前記隙間Ｓ１全周に拡散させることができ、前記隙間Ｓ１に塵埃が詰まることを確実に防止できる。
図１１に示したアタッチメント１９は、前記溝１４の出口付近に、複数の壁２０が形成されている。この壁２０を形成することにより、前記溝１４から吹き出る空気が前記壁２０に衝突することで、壁２０と壁２０との間から空気を前記隙間Ｓ１の広範囲に流し込むことができ、前記隙間Ｓ１に塵埃が詰まることを確実に防止できる
図１２に示したアタッチメント２１の溝２２は、螺旋状に形成されているので、前記溝２２から出る空気は、前記隙間Ｓ１を旋回しながら流れるので、前記隙間Ｓ１に塵埃が詰まることを確実に防止できる。
【００３６】
図１３に示したアタッチメント２３は、前記小径部２４の接続部を前記大径部２５の接続部に対し、被清掃面Ｍ側へ偏芯させている。この構成により、前記アタッチメント２３を前記延長管５に接続し、前記アタッチメント２３の前記吸込口９を被清掃面Ｍに対向させた状態では、前記小径部２４の接続部の外面と前記延長管５の内面との前記隙間Ｓ１は、被清掃面側Ｍとは反対側、即ち、上側に形成されるので、前記隙間Ｓ１に塵埃を入り込ませないようにすることができる。
【００３７】
（第２実施形態）
次に、図１４及び図１５に基づいて第２の実施の形態を説明する。尚、上記実施形態と同一部分については同一符号を付して説明を省略する。
本第２の実施の形態のアタッチメント２６は、前記小径部１０の接続部に複数の貫通孔２７が形成され、該貫通孔２７は、前記小径部１０の接続部と前記大径部１１の接続部の境界付近に位置に形成されている。そして、前記貫通孔２７の近傍には、前記アタッチメント２６の内面から突出する鍔２８がそれぞれ形成されている。
【００３８】
上記構成によって、前記大径部１１の接続部を前記延長管５に接続した状態で、電動送風機を運転すると、前記アタッチメント２６の吸込口９から吸い込まれた空気の一部は、前記貫通孔２７を通って前記小径部１０の接続部の外面と前記延長管５の内面との前記隙間Ｓ１に流れ込むので、前記隙間Ｓ１に塵埃が詰まることを防止できる。また、前記鍔２８がエアーダムの役割をするため、前記貫通孔２８に流れ込む空気量が増加し、前記隙間Ｓ１に塵埃が詰まることを確実に防止できる。
【００３９】
（第３実施形態）
次に、図１６に基づいて第３の実施の形態を説明する。尚、上記実施形態と同一部分については同一符号を付して説明を省略する。
本第３の実施の形態のアタッチメント２９は、大径部３０の接続部の形状が多角形に形成されている。
上記構成によって、前記大径部３０の接続部を前記延長管５に接続すると、接続された部分に隙間Ｓ２が生じる。この状態で、電動送風機を運転すると、空気は前記アタッチメント２９の吸込口９以外に、前記隙間Ｓ２からも吸い込まれるので、前記隙間Ｓ２から吸い込まれた空気が、前記小径部１０の接続部の外面と前記延長管５の内面との前記隙間Ｓ１に流れ込み、前記隙間Ｓ１に塵埃が詰まることを防止できる。
【００４０】
ところで、本第３の実施の形態のアタッチメント２９における前記大径部３０の接続部の形状を多角形にしたが、図１７に示すように大径部３０の接続部を楕円形状にしても構わない。
【００４１】
（第４実施形態）
次に、図１８及び図１９に基づいて第４の実施の形態を説明する。尚、上記実施形態と同一部分については同一符号を付して説明を省略する。
【００４２】
本第４の実施の形態のアタッチメント３２は、前記小径部１０の外周面に突出した複数のリブ３３が形成され、該リブ３３を前記延長管５の内面に当接させることにより、前記アタッチメント着脱できるようになっている。
【００４３】
上記構成によって、前記リブ３３を前記延長管５に接続すると、この接続された部分に複数の隙間Ｓ２が生じるので、電動送風機を運転すると、空気は前記アタッチメント３２の吸込口９以外に、前記隙間Ｓ２からも吸い込まれるので、前記隙間Ｓ２から吸い込まれた空気が、前記小径部１０の接続部の外面と前記延長管５の内面との隙間Ｓ１に流れ込み、前記隙間Ｓ１に塵埃が詰まることを防止できる
ところで、本第４の実施の形態では、前記隙間Ｓ２を生じさせるために、前記リブ３３形成したが、図２０に示すように複数の突部を形成しても構わない。
尚、上記各実施の形態では、隙間用アタッチメントを前記延長管５に接続するようにしたが、前記接続管４に接続しても上記同様の効果を得ることができる。
また、上記各実施の形態は、家具の隙間や窓の桟、壁際等を掃除する際の隙間用アタッチメントに用いられているが、一般的な床面を掃除するための床用吸込具に用いても構わない。
【図面の簡単な説明】
【００４４】
【図１】本発明の第１の実施の形態を示す電気掃除機の側面図である。
【図２】同電気掃除機に用いられるアタッチメントの側面図である。
【図３】同アタッチメントの正面図である。
【図４】同アタッチメントを延長管に接続した状態を示す側面断面図である。
【図５】アタッチメントを延長管に接続した状態を正面からみた正面図である。
【図６】同アタッチメントを延長管に接続した状態で、溝から吸い込まれる空気の流れを示す一部切欠断面図である。
【図７】同アタッチメントを延長管に接続した状態で、溝から吸い込まれる空気の流れを別の方向から見たときの断面図である。
【図８】同アタッチメントを用いて、被清掃面を掃除する状態を示した一部切欠断面図である。
【図９】他の実施の形態のアタッチメントを延長管に接続した状態を示す一部切欠断面図である。
【図１０】他の実施の形態のアタッチメントを延長管に接続した状態を示す一部切欠断面図である。
【図１１】他の実施の形態のアタッチメントを延長管に接続した状態を示す一部切欠断面図である。
【図１２】他の実施の形態のアタッチメントを延長管に接続した状態を示す一部切欠断面図である。
【図１３】他の実施の形態のアタッチメントを延長管に接続した状態で被清掃面を掃除していることを示す一部切欠側面断面図である。
【図１４】本発明の第２の実施の形態のアタッチメントを延長管に接続した状態を示す一部切欠断面図である。
【図１５】同アタッチメントを延長管に接続した状態で、溝から吸い込まれる空気の流れを示す側面断面図である。
【図１６】本発明の第３の実施の形態のアタッチメントを延長管に接続した状態で、正面からみたときの正面図である。
【図１７】他の実施の形態のアタッチメントを延長管に接続した状態で、正面からみたときの正面図である。
【図１８】本発明の第４の実施の形態を示すアタッチメントの側面図である。
【図１９】同アタッチメントを延長管に接続した状態で、正面からみたときの正面図である。
【図２０】他の実施の形態を示すアタッチメントの側面図である。
【図２１】従来のアタッチメントの側面図である。
【図２２】同アタッチメントを延長管に接続した状態を示す側面断面図である。
【符号の説明】
【００４５】
９        吸込口
１０      小径部の接続部
１１      大径部の接続部
５        延長管
８        アタッチメント
１４      溝
【図１】
2005204763.tif 000003
【図２】
2005204763.tif 000004
【図３】
2005204763.tif 000005
【図４】
2005204763.tif 000006
【図５】
2005204763.tif 000007
【図６】
2005204763.tif 000008
【図７】
2005204763.tif 000009
【図８】
2005204763.tif 000010
【図９】
2005204763.tif 000011
【図１０】
2005204763.tif 000012
【図１１】
2005204763.tif 000013
【図１２】
2005204763.tif 000014
【図１３】
2005204763.tif 000015
【図１４】
2005204763.tif 000016
【図１５】
2005204763.tif 000017
【図１６】
2005204763.tif 000018
【図１７】
2005204763.tif 000019
【図１８】
2005204763.tif 000020
【図１９】
2005204763.tif 000021
【図２０】
2005204763.tif 000022
【図２１】
2005204763.tif 000023
【図２２】
2005204763.tif 000024